(57)【要約】【課題】視覚的に楽しむことができるとともに、性能調節をもすることができるコマ玩具セットを提供する。【解決手段】  飲料容器のキャップ２をフライホイールとして機能させるコマ本体１０と、コマ本体１０に回転力を与える回転力付与手段２０と、を備え、コマ本体１０は、回転軸１２と、キャップ２の周壁内面に弾性力によって圧接されて当該キャップを支持可能に構成された支持部１１と、回転力付与手段２０からの回転力を入力するピニオン１３と、を備えたことを特徴とする。【選択図】図１
2015130932.tif 000002
【特許請求の範囲】
【請求項１】
飲料容器のキャップが着脱可能に構成され装着された前記キャップをフライホイールとして機能させるコマ本体と、前記コマ本体を起立状態に保持しつつ前記キャップが装着された前記コマ本体に回転力を与える回転力付与手段と、を備え、
前記コマ本体は、
当該コマ本体の回転中心となる回転軸と、
前記回転軸に取り付けられ、当該コマ本体の上方から被せた前記キャップの周壁内面に弾性力によって圧接されて当該キャップを支持可能に構成された支持部と、
前記支持部の下方に位置するように前記回転軸又は前記支持部に設けられ、前記回転力付与手段からの回転力を入力する回転力入力部と、
を備えたことを特徴とするコマ玩具セット。
【請求項２】
前記支持部は、支持フレームであり、前記回転軸に固定されたハブと、当該ハブから半径方向外方へ延伸されるアームと、前記アームの先端に設けられ前記キャップの周壁内面に当接される当接部とを備えたことを特徴とする請求項１に記載のコマ玩具セット。
【請求項３】
前記アームは、下面が平面で且つ延伸方向に直交する断面が凸状又はＬ字状となっていることを特徴とする請求項２に記載のコマ玩具セット。
【請求項４】
前記回転力付与手段は、
前記回転軸を半径方向の相対向する２方向から挟み込む形で前記コマ本体を保持可能な２つの保持部材によって構成され、
前記保持部材の少なくとも一方は、前記コマ本体の回転力入力部に係合し、前記コマ本体に対して前記２つの保持部材を互いに離間する方向に移動させた際に、前記回転力入力部に回転力を付与する回転力付与部を備えることを特徴とする請求項１から請求項３のいずれか一項に記載のコマ玩具セット。
【請求項５】
前記回転力入力部はピニオンであり、前記回転力付与部はラックであることを特徴とする請求項４に記載のコマ玩具セット。
【請求項６】
前記回転軸は前記支持部より上方に延伸され、当該回転軸の上端は前記キャップの天井壁内面に当接可能となっていることを特徴とする請求項１から請求項５のいずれか一項に記載のコマ玩具セット。
【請求項７】
前記回転軸の前記支持部より上方に延伸された部分には半径方向外方に張り出す張出し部が設けられ、前記張出し部には、前記回転軸を下方から挿通させた孔空き補助ホイールの孔が嵌合可能となっていることを特徴とする請求項６に記載のコマ玩具セット。
【請求項８】
前記張出し部の外面には、前記支持部の上面側から前記回転軸の上方に向けて張出し量が減少するようなテーパが付けられていることを特徴とする請求項７に記載のコマ玩具セット。
【請求項９】
前記張出し部は前記支持部の上面に接して形成されていることを特徴とする請求項７又は請求項８に記載のコマ玩具セット。
【発明の詳細な説明】
【技術分野】
【０００１】
本発明は、コマ本体とそのコマ本体を回転させる回転力付与手段とを備えたコマ玩具セットに関する。
【背景技術】
【０００２】
従来、コマ玩具セットとして、回転軸にピニオンを備えたコマ本体と、このコマ本体のピニオンに噛合可能なラックを有する回転力付与手段と、を備え、回転力付与手段のラックによってピニオンひいてはコマ本体を回転させるように構成されたものが知られている（たとえば、特許文献１〜４）。
【０００３】
ところで、このようなコマ玩具セットにおけるコマ本体は、胴が円板状又は逆円錐状に形成され、この胴をフライホイールとして機能させることによって、コマ本体を回転させるように構成されている。
【先行技術文献】
【特許文献】
【０００４】
【特許文献１】実開昭４８−４１３９６号公報
【特許文献２】実開昭６３−９１４６６号公報
【特許文献３】実開平３−８５０８４号公報
【特許文献４】実開平７−２８５９５号公報
【発明の概要】
【発明が解決しようとする課題】
【０００５】
しかしながら、従来技術におけるコマ本体はそれ自体で意匠的に完成しているものが多く、遊技者は、そのコマ本体に手を加えることなく、コマ本体をそのままの状態で回転させることが普通であった。また、コマ本体に手を加えるとしても、遊技者が胴に自分の名前を記したり、お気に入りのシールを胴に貼ったりする程度のものであった。そのため、コマ本体の意匠が固定的となり視覚的な楽しみも少なく、しかも、手を加えることによってコマ本体の回転時間を調節する等の工夫もできないものであった。
本発明は、視覚的に楽しむことができるとともに、性能調節をもすることができるコマ玩具セットを提供することを目的とする。
【課題を解決するための手段】
【０００６】
請求項１に記載のコマ玩具セットは、飲料容器のキャップが着脱可能に構成され装着された前記キャップをフライホイールとして機能させるコマ本体と、前記コマ本体を起立状態に保持しつつ前記キャップが装着された前記コマ本体に回転力を与える回転力付与手段と、を備え、
前記コマ本体は、
当該コマ本体の回転中心となる回転軸と、
前記回転軸に取り付けられ、当該コマ本体の上方から被せた前記キャップの周壁内面に弾性力によって圧接されて当該キャップを支持可能に構成された支持部と、
前記支持部の下方に位置するように前記回転軸又は前記支持部に設けられ、前記回転力付与手段からの回転力を入力する回転力入力部と、
を備えたことを特徴とする。
【０００７】
請求項２に記載のコマ玩具セットは、請求項１に記載のコマ玩具セットにおいて、
前記支持部は、支持フレームであり、前記回転軸に固定されたハブと、当該ハブから半径方向外方へ延伸されるアームと、前記アームの先端に設けられ前記キャップの周壁内面に当接される当接部とを備えたことを特徴とする。
【０００８】
請求項３に記載のコマ玩具セットは、請求項２に記載のコマ玩具セットにおいて、前記アームは、下面が平面で且つ延伸方向に直交する断面が凸状又はＬ字状となっていることを特徴とする。
【０００９】
請求項４に記載のコマ玩具セットは、請求項１から請求項３のいずれか一項に記載のコマ玩具セットにおいて、
前記回転力付与手段は、
前記回転軸を半径方向の相対向する２方向から挟み込む形で前記コマ本体を保持可能な２つの保持部材によって構成され、
前記保持部材の少なくとも一方は、前記コマ本体の回転力入力部に係合し、前記コマ本体に対して前記２つの保持部材を互いに離間する方向に移動させた際に、前記回転力入力部に回転力を付与する回転力付与部を備えることを特徴とする。
【００１０】
請求項５に記載のコマ玩具セットは、請求項４に記載のコマ玩具セットにおいて、前記回転力入力部はピニオンであり、前記回転力付与部はラックであることを特徴とする。
【００１１】
請求項６に記載のコマ玩具セットは、請求項１から請求項５のいずれか一項に記載のコマ玩具セットにおいて、前記回転軸は前記支持部より上方に延伸され、当該回転軸の上端は前記キャップの天井壁内面に当接可能となっていることを特徴とする。
【００１２】
請求項７に記載のコマ玩具セットは、請求項６に記載のコマ玩具セットにおいて、前記回転軸の前記支持部より上方に延伸された部分には半径方向外方に張り出す張出し部が設けられ、前記張出し部には、前記回転軸を下方から挿通させた孔空き補助ホイールの孔が嵌合可能となっていることを特徴とする。
【００１３】
請求項８に記載のコマ玩具セットは、請求項７に記載のコマ玩具セットにおいて、前記張出し部の外面には、前記支持部の上面側から前記回転軸の上方に向けて張出し量が減少するようなテーパが付けられていることを特徴とする。
【００１４】
請求項９に記載のコマ玩具セットは、請求項７又は請求項８に記載のコマ玩具セットにおいて、前記張出し部は前記支持部の上面に接して形成されていることを特徴とする。
【発明の効果】
【００１５】
請求項１に記載のコマ玩具セットによれば、飲料容器のキャップをフライホイールとして利用するため、好みの色や材質のキャップを装着して遊ぶことができる。また、キャップの種類を違えることによって回転時間の調整も行えることとなる。例えばプラスチック製のキャップからアルミニウム製のキャップにすることによって、見た目を大きく変化させることができるとともに、回転時間の調整を行えることになる。さらに、支持部はキャップの周壁内面に弾性力によって圧接されるので、キャップの内径が多少異なる場合であっても、確実にキャップに支持することができる。
【００１６】
請求項２に記載のコマ玩具セットによれば、支持部は、ハブ、アーム及び当接部から構成されるので、従来のように胴を円板状や逆円錐状とした場合に比べて、体積が少なくて済み、その分製造原価を低減することができる。また、アームを備えているため、コマ本体をキャップから取り外す際には、アームを指先で摘まんで、または工具を引っ掛けることによって容易に取り外すことができる。
【００１７】
請求項３に記載のコマ玩具セットによれば、アームの強度を高めることができるばかりか、アームに段部ができるため、段部に爪を掛けたり又は工具を引っ掛けたりし易くなり、キャップからのコマ本体の取り外しがさらに容易となる。
【００１８】
請求項４に記載のコマ玩具セットによれば、回転力付与手段の保持部材をコマ本体の回転軸を挟んで保持させ、２つの保持部材を互いに離間させる方向に移動させることによってコマ本体に回転力を与えるとともにコマ本体の保持を解除することができるので、コマ本体の保持、回転及び保持解除の操作が容易になる。
【００１９】
請求項５に記載のコマ玩具セットによれば、ラックとピニオンによってコマ本体の回転を行うので、確実に動力伝達が行える。
【００２０】
請求項６に記載のコマ玩具セットによれば、回転軸の上端をキャップの天井壁内面に対して当接させることによって、コマ本体を所定位置に安定して位置させることができる。
【００２１】
請求項７に記載のコマ玩具セットによれば、孔空き補助ホイールを保持させ、コマ本体の回転を安定させることができる。
【００２２】
請求項８に記載のコマ玩具セットによれば、孔径の異なる孔空き補助ホイールを安定状態に保持させることができる。
【００２３】
請求項９に記載のコマ玩具セットによれば、孔空き補助ホイールを可及的に低い位置で安定状態に保持させることができる。
【図面の簡単な説明】
【００２４】
【図１】本発明に係るコマ玩具セットの実施形態を示した斜視図である。
【図２】本発明に係るコマ玩具セットを組み付けた状態の平面図である。
【図３】図２におけるＩＩＩ−ＩＩＩ線に沿った断面図である。
【図４】図３におけるＩＶ−ＩＶ線に沿った断面図である。
【図５】補助ホイールを取り付けるための張出し部を示したもので、（Ａ）はその斜視図、（Ｂ）は要部断面図である。
【図６】支持フレームの変形例を示した平面図である。
【図７】支持フレームにおけるアームの変形例を示した断面図である。
【図８】ペットボトルのキャップに嵌着するリングを示した平面図である。
【発明を実施するための形態】
【００２５】
以下、本発明に係るコマ玩具セットを図面に示した実施形態に基づいて説明する。
【００２６】
図１は、コマ玩具セットの実施形態を示した斜視図、図２は、コマ玩具セットを組み付けた状態の平面図である。
このコマ玩具セット１は、コマ本体１０と、コマ本体１０に回転力を与える回転力付与手段２０とを備えている。
【００２７】
このうちコマ本体１０は、支持部である支持フレーム１１、回転軸１２及び回転力入力部（例えば後述のピニオン１３）を備えている。
回転軸１２はコマ本体１０の回転中心となるもので、ここではプラスチック製のものが使用されている。勿論、回転軸１２を金属製としてもよい。
【００２８】
支持フレーム１１は、回転軸１２に取り付けられた円板状のハブ１１ａと、当該ハブ１１ａの周面から半径方向外方へ延伸され円周方向に等間隔に配置された４本のアーム１１ｂと、各アーム１１ｂの先端に連結され、円弧状を呈し、外周面がペットボトルのキャップ２の周壁２ａの内面に圧接可能な４つの当接片（当接部）１１ｃとによって構成されている。
この支持フレーム１１はプラスチック製であり、４本のアーム１１ｂ及び４つの当接片１１ｃは、弾性変形可能に構成されている。このように４本のアーム１１ｂ及び４つの当接片１１ｃを弾性変形可能に構成することで、孔径が少しばかり異なるキャップ２の周壁２ａの内面にも確実に当接片１１ｃを圧接させることが可能となる。特に、キャップ２の周壁２ａの内面には雌ねじが形成されているので、キャップ２の周壁２ａの内面にも確実に当接片１１ｃを圧接させるのに有効である。また、市販のペットボトルのキャップ２もメーカによって多少孔径が異なるものがあるので、汎用性を持たすために４本のアーム１１ｂ及び４つの当接片１１ｃを弾性変形可能に構成しておくことは有効である。
【００２９】
各アーム１１ｂは、下面が平面で且つ延伸方向に直交する断面が凸状となるように、つまり、図７に示したようにアーム基体の上面にアーム基体の延伸方向に沿って伸びるリブ１１ｄを設けてもよい。このようにすれば、ペットボトルからのコマ本体１０の取り外しの際に遊技者が爪や工具をアーム１１ｂに掛けやすくなり、取り外しが容易となる。なお、アーム１１ｂの断面を凸状に代えてＬ字状としても同じ効果が得られる。
【００３０】
回転力入力部として、ここでは、回転軸１２に配設したピニオンが使用されている（図４及び図５（Ｂ）参照）。このピニオン１３は、回転軸１２における支持フレーム１１の直下に設けてもよいし、回転軸１２における支持フレーム１１から少し離した位置に設けてもよい。このピニオン１３は、回転軸１２と一体に形成してもよく、回転軸１２と別体に形成して、それを回転軸１２に挿嵌して一体化してもよい。また、ピニオン１３は支持フレーム１１と一体に形成してもよい。
【００３１】
回転軸１２の支持フレーム１１から上方に延伸する部分（以下「上方延伸部分１４」と言う。）は、ペットボトルのキャップ２の天井壁２ｂに対する距離を定める位置決め部として機能する。また、この回転軸１２の上方延伸部分１４は、フライホイールとしての重量を増加させて回転を安定させるため、孔空き補助ホイール３を支持する支持ピンとしても機能する。この場合の孔空き補助ホイール３としては板状のものが使用されるが、孔空き円板状のものであることが好ましい。例えば、中心に孔が設けられた５０円硬貨，５円硬貨等が使用される。
この場合、孔空き補助ホイール３の孔の径が異なったりすることがあるが、径の異なる補助ホイール３を確実に固定支持させる必要がある。
そこで、本実施形態では、回転軸１２における支持フレーム１１の直上に回転軸１２から半径方向外方に張り出す突起（張出し部）１５が円周方向に等間隔に複数設けられるとともに、突起１５の外面には、支持フレーム１１の上面側から回転軸１２上方に向けて張出し量が減少するようなテーパが付けられている。この突起１５は支持フレーム１１に接して設けられていることが好ましい。突起１５が支持フレーム１１に接して設けられていれば、孔空き補助ホイール３を安定状態で保持できる。
なお、この突起１５は、回転軸１２と一体に設けられていても、支持フレーム１１と一体で設けられていてもよい。また、この突起１５に代えて、錐状又は錐台状の張出し部を設けてもよい。
【００３２】
このように構成されたコマ本体１０によれば、ペットボトルのキャップ２の周壁２ａの内面に支持フレーム１１を挿嵌させると、支持フレーム１１が弾性変形しながらペットボトルのキャップ２の周壁２ａの内面に当接片１１ｃが圧接し、回転軸１２の上方延伸部分１４の上端がペットボトルのキャップ２の天井壁２ｂに当接することによって、キャップ２の開口部にコマ本体１０が位置決めされる。
なお、コマ本体１０のフライホイールの重量を増加させたい場合には、孔３ａを有する補助ホイール３、例えば５０円硬貨，５円硬貨等の孔３ａを上方延伸部分１４に嵌合させる。すると、図５（Ｂ）に示すように、孔空き補助ホイール３の孔３ａが上方延伸部分１４の突起１５の外面（傾斜面）の対応位置に嵌着される。
なお、このコマ玩具セット１では、ペットボトルのキャップ２の周壁２ａの外面に嵌着する図８に示すようなリング４を備えていてもよい。このリング４は外周面に突起４ａが形成されている。このリング４は、キャップ２と共に回転され、突起４ａによって相手のコマを跳ね飛ばすことができるので、戦闘遊技を楽しむ場合に使用される。
【００３３】
以上、コマ本体１０の構成を説明したが、ピニオン１３及び突起１５を回転軸１２又は支持フレーム１１に設ける場合、ピニオン１３及び突起１５を支持フレーム１１に接して設けるようにすれば、コマ本体１０全体をプラスチックで一体成型することが可能となる。
【００３４】
また、上記コマ本体１０においては次のような変形も可能である。
例えば、ハブ１１ａの形状は必ずしも円板状でなくてもよい。例えば多角形状であってもよい。
また、アーム１１ｂの本数も４本に限定されない。ただし、２本以上であり、円周方向に等間隔に配置されることが好ましい。
さらに、支持フレーム１１をゴム製とすることによって、弾性変形可能に構成してもよいし、支持フレーム１１の当接片１１ｃの全部又は一部をゴム製としてもよい。要は、キャップ２の周壁２ａの内面にも確実に当接片１１ｃを圧接させることである。
また、図１に示したコマ本体１０では、当接片１１ｃを円弧状に形成しているが、図６に示したように、３本のアーム１１ｂの各自由端に直線状で両端先端部がアーム１１ｂの基端側に向けて屈曲され、この屈曲部の外側でペットボトルのキャップ２の周壁２ａの内面に圧接させるものであってもよい。
【００３５】
次に、回転力付与手段２０について説明する。
図１に示した回転力付与手段２０は、一対の同じ形状の保持部材２０ａ，２０ｂから構成されている。保持部材２０ａ，２０ｂの各々は、摘み部２１と、コマ本体１０の回転軸１２を収容するスリット２２を有する作動部２３とを備えた板状体から成る。
【００３６】
作動部２３は、ラック２４が内面に形成された作動片２５と、相手方作動片２５を収容するための収容空間２６を有する断面コ字状の鞘２７とから成る。鞘２７は、先端が開口している。また、鞘２７を画成する上壁２７ａには、スリット２２側に逃げ２８が形成されている。この逃げ２８は、コマ本体１０の回転力入力部（ピニオン）１３の収容を容易にし、コマ本体１０を保持する際にピニオン１３を鞘２７の底壁２７ｂに着座させるためのものである。
【００３７】
この回転力付与手段２０の使用方法は次の通りである。
ペットボトルのキャップ２を組み付けたコマ本体１０の回転軸１２を半径方向の相対向する２方向から挟み込む形で保持部材２０ａ，２０ｂの作動片２５を相手方鞘２７の収容空間２６に挿入させて互いに組み付ける。或いは、予め組み付けた保持部材２０ａ，２０ｂのスリット２２に、ペットボトルのキャップ２を組み付けたコマ本体１０の回転軸１２を挿入する。このように保持部材２０ａ，２０ｂ及びコマ本体１０は互いに組み付けられることから、操作性を良好にするため、組み付けられた状態で、コマ本体１０の外側に保持部材２０ａ，２０ｂの摘み部２１が突出していることが好ましい。
以上のようにして保持部材２０ａ，２０ｂ及びコマ本体１０を互いに組み付けると、図４に示すように、それぞれのラック２４が対向する。そして、コマ本体１０は、図３に示すように、ピニオン１３の下面が鞘２７の底壁２７ｂの上に載置されて回転力付与手段２０に保持される。そして、図４に示したように、コマ本体１０のピニオン１３が保持部材２０ａ，２０ｂのラック２４に噛合する。
【００３８】
次に、図４に示した状態から保持部材２０ａ，２０ｂの摘み部２１を互いに離間する方向に引くと、ラック２４，ピニオン１３を介して回転軸１２が回転させられる。そして、保持部材２０ａ，２０ｂが互いに離間すると、コマ本体１０が回転力付与手段２０の保持から解放されるので、コマ本体１０は回転した状態で床等の回転面に落下する。
【００３９】
なお、この場合の回転力付与手段２０による保持工程を容易にするため、保持部材２０ａ，２０ｂの鞘２７の上壁２７ａを支持フレーム１１の下面に摺接すれば、直ちに、ピニオン１３の下面が鞘２７の底壁２７ｂの上に載置されるように構成しておくことが好ましい。
【００４０】
以上、本発明の実施形態及び変形例を説明したが、本発明は、かかる実施形態及び変形例に限定されるものではなく、その要旨を逸脱しない範囲で種々の変形が可能である。
【００４１】
例えば、前記実施形態では、保持部材２０ａ，２０ｂの双方にラック２４を設けたが、ラック２４は保持部材２０ａ，２０ｂの一方に設けられていれば足りる。
また、前記実施形態では、回転軸１２を支持フレーム１１の上下に延伸させることとしたが、少なくとも支持フレーム１１の下方に延伸していれば足りる。
さらに、前記実施形態では、回転軸１２を利用して孔空き補助ホイール３を取り付けるようにしたが、支持フレーム１１の上に被せて補助ホイール収容室を画成する蓋体を設け、この補助ホイール収容室に補助ホイールを設置してもよい。この場合、回転軸１２を支持フレーム１１の上方に延伸させなければ、孔無しの補助ホイールを使用することもできる。
また、支持フレーム１１に代えて、通常のコマと同様に円板状部又は逆円錐状の支持部を設けてもよい。この場合には、支持部の少なくとも外周部が弾性変形して、外周がキャップ２の周壁２ａの内面に圧接されるようにしておく。
さらに、ペットボトルのキャップ２に代えて、缶飲料の金属製のキャップをフライホイールとして機能させてもよい。
また、前記実施形態では、回転力入力部をピニオン１３としたが、ピニオン１３に代えてローラを用い、一方、保持部材２０ａ，２０ｂの摺接力によってローラを回転させるようにしてもよい。
【符号の説明】
【００４２】
１  コマ玩具セット
２  キャップ
３  補助ホイール
３ａ  孔
１０  コマ本体
１１  支持フレーム
１１ａ  ハブ
１１ｂ  アーム
１１ｃ  当接片（当接部）
１２  回転軸
１３  回転力入力部（ピニオン）
１５  突起（張出し部）
２０  回転力付与手段
２０ａ，２０ｂ  保持部材
２４  回転力付与部（ラック）
【図１】
2015130932.tif 000003
【図２】
2015130932.tif 000004
【図３】
2015130932.tif 000005
【図４】
2015130932.tif 000006
【図５】
2015130932.tif 000007
【図６】
2015130932.tif 000008
【図７】
2015130932.tif 000009
【図８】
2015130932.tif 000010